(57)【特許請求の範囲】
【請求項１】
動画情報を記憶する画像記憶手段と、
この画像記憶手段の複数の記憶領域に複数の動画情報をそれぞれ別々に記録する記録手段と、
この記録手段によって記録された前記複数の動画情報を同一画面内の異なる表示領域にそれぞれ配置して同時に再生する再生手段と、
この再生手段で再生される各動画情報の特定の再生ポイントを全ての動画情報について時間的に一致させるための再生ポイント指定手段とを備え、
前記再生ポイント指定手段は、前記各動画情報の再生開始アドレス、再生終了アドレス及び任意の再生点のアドレスの少なくとも１つを指定するものであり、
前記再生手段は、前記再生ポイント指定手段で指定された各動画情報の再生開始アドレスから前記複数の動画情報の再生を同時に開始し、前記各動画情報の再生時間が異なる場合には、再生時間が最も長い動画情報の再生が終了するまで他の再生が終了した動画情報を静止画として再生するものである
ことを特徴とする画像記録再生装置。
【請求項２】
動画情報を記憶する画像記憶手段と、
この画像記憶手段の複数の記憶領域に複数の動画情報をそれぞれ別々に記録する記録手段と、
この記録手段によって記録された前記複数の動画情報を同一画面内の異なる表示領域にそれぞれ配置して同時に再生する再生手段と、
この再生手段で再生される各動画情報の特定の再生ポイントを全ての動画情報について時間的に一致させるための再生ポイント指定手段とを備え、
前記再生ポイント指定手段は、前記各動画情報の再生開始アドレス、再生終了アドレス及び任意の再生点のアドレスの少なくとも１つを指定するものであり、
前記再生手段は、前記再生ポイント指定手段で指定された各動画情報の再生開始アドレスから前記複数の動画情報の再生を同時に開始し、前記各動画情報の再生時間が異なる場合には、再生時間が最も短い動画情報の再生が終了するタイミングで他の動画情報の再生を終了するものである
ことを特徴とする画像記録再生装置。
【請求項３】
動画情報を記憶する画像記憶手段と、
この画像記憶手段の複数の記憶領域に複数の動画情報をそれぞれ別々に記録する記録手段と、
この記録手段によって記録された前記複数の動画情報を同一画面内の異なる表示領域にそれぞれ配置して同時に再生する再生手段と、
この再生手段で再生される各動画情報の特定の再生ポイントを全ての動画情報について時間的に一致させるための再生ポイント指定手段とを備え、
前記再生ポイント指定手段は、前記各動画情報の再生開始アドレス、再生終了アドレス及び任意の再生点のアドレスの少なくとも１つを指定するものであり、
前記再生手段は、前記再生ポイント指定手段で指定された任意の再生点のアドレスの再生タイミングが各動画情報で一致するように再生開始アドレスと再生終了アドレスとを決定するものである
ことを特徴とする画像記録再生装置。
【請求項４】
前記再生ポイント指定手段で指定されたアドレスを記憶するアドレス記憶手段を備え、
前記再生手段は、前記アドレス記憶手段によって記憶されたアドレスにより、各動画情報の特定の再生ポイントを全ての動画情報について時間的に一致させる
ことを特徴とする請求項１から請求項３のうちいずれかに記載の画像記録再生装置。
【請求項５】
動画情報を記憶する画像記憶手段の複数の記憶領域に複数の動画情報をそれぞれ別々に記録する記録処理と、
この記録処理によって記録された前記複数の動画情報を同一画面内の異なる表示領域にそれぞれ配置して同時に再生する再生処理と、
この再生処理で再生される各動画情報の特定の再生ポイントを全ての動画情報について時間的に一致させるための再生ポイント指定処理とを含み、
前記再生ポイント指定処理は、前記各動画情報の再生開始アドレス、再生終了アドレス及び任意の再生点のアドレスの少なくとも１つを指定する処理であり、
前記再生処理は、前記再生ポイント指定処理にて指定された各動画情報の再生開始アドレスから前記複数の動画情報の再生を同時に開始し、前記各動画情報の再生時間が異なる場合には、再生時間が最も長い動画情報の再生が終了するまで他の再生が終了した動画情報を静止画として再生する処理である
画像記録再生プログラムを記憶した記憶媒体。
【請求項６】
動画情報を記憶する画像記憶手段の複数の記憶領域に複数の動画情報をそれぞれ別々に記録する記録処理と、
この記録処理によって記録された前記複数の動画情報を同一画面内の異なる表示領域にそれぞれ配置して同時に再生する再生処理と、
この再生処理で再生される各動画情報の特定の再生ポイントを全ての動画情報について時間的に一致させるための再生ポイント指定処理とを含み、
前記再生ポイント指定処理は、前記各動画情報の再生開始アドレス、再生終了アドレス及び任意の再生点のアドレスの少なくとも１つを指定する処理であり、
前記再生処理は、前記再生ポイント指定処理にて指定された各動画情報の再生開始アドレスから前記複数の動画情報の再生を同時に開始し、前記各動画情報の再生時間が異なる場合には、再生時間が最も短い動画情報の再生が終了するタイミングで他の動画情報の再生を終了する処理である
画像記録再生プログラムを記憶した記憶媒体。
【請求項７】
動画情報を記憶する画像記憶手段の複数の記憶領域に複数の動画情報をそれぞれ別々に記録する記録処理と、
この記録処理によって記録された前記複数の動画情報を同一画面内の異なる表示領域にそれぞれ配置して同時に再生する再生処理と、
この再生処理で再生される各動画情報の特定の再生ポイントを全ての動画情報について時間的に一致させるための再生ポイント指定処理とを含み、
前記再生ポイント指定処理は、前記各動画情報の再生開始アドレス、再生終了アドレス及び任意の再生点のアドレスの少なくとも１つを指定する処理であり、
前記再生処理は、前記再生ポイント指定処理にて指定された任意の再生点のアドレスの再生タイミングが各動画情報で一致するように再生開始アドレスと再生終了アドレスとを決定する処理である
画像記録再生プログラムを記憶した記憶媒体。
【請求項８】
前記再生ポイント指定処理は、アドレスを記憶するアドレス記憶手段に指定したアドレスを記憶する処理を含み、
前記再生処理は、前記アドレス記憶手段に記憶されたアドレスにより、各動画情報の特定の再生ポイントを全ての動画情報について時間的に一致させる処理を含む
ことを特徴とする請求項５から請求項７のうちいずれかに記載の画像記録再生プログラムを記憶した記憶媒体。
【発明の詳細な説明】
【０００１】
【発明の属する技術分野】
この発明は、ビデオやテレビの動作情報を半導体メモリ等の画像記憶装置に記録して、マルチ画面表示する画像記録再生装置及び画像記録再生プログラムを記憶した記憶媒体に関する。
【０００２】
【従来の技術】
近年、半導体メモリの微細加工技術による記憶容量の増大と画像圧縮技術の進歩に伴って、ビデオカメラ等からの映像信号を半導体メモリに一旦記憶して、任意の速度で任意の記録位置から読み出して再生する画像記録再生装置が普及しつつある。この種の画像記録再生装置は、数十秒の動画を記録することが可能であることから、ＣＭ製作用の編集装置やスポーツのフォーム解析等に適している。
【０００３】
ところで、スポーツのフォーム解析等では、マルチ画面表示によって異なるアングルからそれぞれ撮影されたフォームを同時に確認したり、プロのフォームと自分のフォームとを同一アングルからの画像によって比較するといった使い方が望まれる。従来、この種のマルチ画面表示機能付きの映像処理装置としては、複数台のカメラやビデオ再生装置からの映像信号を同時に入力してマルチ画面表示するものや１台のカメラで撮像された一連の動作のいくつかのポイントを静止画として抽出してマルチ画面表示するもの等が知られている。
【０００４】
【発明が解決しようとする課題】
しかしながら、上述した従来のマルチ画面表示機能付きの映像処理装置のうち前者のものでは、複数台のカメラやビデオ再生装置から同時に入力した映像信号をマルチ画面表示するため、複数台のカメラやビデオ装置が必要であり、装置全体が高価になるうえ、複数台のビデオソースがそれぞれ独立した画像である場合には、相互の表示の同期をとることが難しいという問題がある。また、後者のものは、一連の動作の異なる再生ポイントの静止画をマルチ画面表示するものであるため、別々に記録した画像を再生ポイントを合わせて動画として再生するような使い方は不可能である。
【０００５】
この発明は、このような問題点に鑑みなされたもので、別々に記録された複数の動画に対して、再生タイミングを合わせた同時再生が可能な画像記録再生装置を提供することを目的とする。
【０００６】
【課題を解決するための手段】
この発明の画像記録再生装置は、動画情報を記憶する画像記憶手段と、この画像記憶手段の複数の記憶領域に複数の動画情報をそれぞれ別々に記録する記録手段と、この記録手段によって記録された前記複数の動画情報を同一画面内の異なる表示領域にそれぞれ配置して同時に再生する再生手段と、この再生手段で再生される各動画情報の特定の再生ポイントを全ての動画情報について時間的に一致させるための再生ポイント指定手段とを備え、前記再生ポイント指定手段は、前記各動画情報の再生開始アドレス、再生終了アドレス及び任意の再生点のアドレスの少なくとも１つを指定するものであり、前記再生手段は、前記再生ポイント指定手段で指定された各動画情報の再生開始アドレスから前記複数の動画情報の再生を同時に開始し、前記各動画情報の再生時間が異なる場合には、再生時間が最も長い動画情報の再生が終了するまで他の再生が終了した動画情報を静止画として再生するものであることを特徴とする。
【０００７】
また、この発明の画像記録再生装置は、動画情報を記憶する画像記憶手段と、この画像記憶手段の複数の記憶領域に複数の動画情報をそれぞれ別々に記録する記録手段と、この記録手段によって記録された前記複数の動画情報を同一画面内の異なる表示領域にそれぞれ配置して同時に再生する再生手段と、この再生手段で再生される各動画情報の特定の再生ポイントを全ての動画情報について時間的に一致させるための再生ポイント指定手段とを備え、前記再生ポイント指定手段は、前記各動画情報の再生開始アドレス、再生終了アドレス及び任意の再生点のアドレスの少なくとも１つを指定するものであり、前記再生手段は、前記再生ポイント指定手段で指定された各動画情報の再生開始アドレスから前記複数の動画情報の再生を同時に開始し、前記各動画情報の再生時間が異なる場合には、再生時間が最も短い動画情報の再生が終了するタイミングで他の動画情報の再生を終了するものであることを特徴とする。
【０００８】
動画情報を記憶する画像記憶手段と、この画像記憶手段の複数の記憶領域に複数の動画情報をそれぞれ別々に記録する記録手段と、この記録手段によって記録された前記複数の動画情報を同一画面内の異なる表示領域にそれぞれ配置して同時に再生する再生手段と、この再生手段で再生される各動画情報の特定の再生ポイントを全ての動画情報について時間的に一致させるための再生ポイント指定手段とを備え、前記再生ポイント指定手段は、前記各動画情報の再生開始アドレス、再生終了アドレス及び任意の再生点のアドレスの少なくとも１つを指定するものであり、前記再生手段は、前記再生ポイント指定手段で指定された任意の再生点のアドレスの再生タイミングが各動画情報で一致するように再生開始アドレスと再生終了アドレスとを決定するものであることを特徴とする。
【００１０】
この発明の画像記録再生装置によれば、画像記憶手段の複数の記憶領域に複数の動画情報をそれぞれ別々に記録し、この記録された複数の動画情報を同一画面内の異なる表示領域にそれぞれ配置して同時に再生すると共に、再生ポイント指定手段によって、各動画情報の特定の再生ポイントを全ての動画情報について時間的に一致させることができる。このため、例えば、アングルを異ならせて撮像した投球フォームや、同一のアングルから撮像したプロと自分のゴルフスウィング等を同一画面に並べて表示し、時間的なタイミングを合わせて同時に再生して対比するといった使い方が可能になる。しかも、この発明によれば、同時に再生される複数の動画情報は、画像記憶手段の別々の記憶領域に別々に記録することができるので、１台のカメラで何回かに分けて撮像することができ、複数のカメラやビデオ再生装置を必要としない。
【００１１】
再生ポイント指定手段として、各動画情報の再生開始アドレスを指定するようにすると、複数の動画情報の対比の重点を動作開始時点とすることができ、再生終了アドレスにすると、対比の重点を動作終了時点とすることができ、任意の再生点のアドレスとすると、対比の重点を動作の中間点の例えばインパクトの瞬間等にすることができる。
【００１２】
再生開始から再生終了までの再生時間が動画情報毎に異なる場合には、再生開始時点を合わせ、再生時間が最も長い動画情報の再生が終了するまで他の再生終了した動画情報を静止状態にすれば、再生すべき動画情報は欠落なしに再生される。また、再生時間が最も短い動画情報の再生が終了するタイミングで他の動画情報の再生を終了するようにすると、長い方の動画情報の再生が再生終了アドレスよりも前に終了してしまうが、いずれの場合も同一の速度で再生されているので、対比する動作の速さの違いなどが明らかになる。また、再生ポイント指定手段で指定された任意の再生点のアドレスの再生タイミングが各動画情報で一致するように再生開始アドレスと再生終了アドレスとを決定すれば、特定の瞬間、例えば打撃フォームのヒットポイント等で全ての画面が一致するように同時再生処理することができ、フォームの対比などに極めて有効である。
【００１４】
また、この発明に係る記憶媒体に記憶される画像記録再生プログラムは、動画情報を記憶する画像記憶手段の複数の記憶領域に複数の動画情報をそれぞれ別々に記録する記録処理と、この記録処理によって記録された前記複数の動画情報を同一画面内の異なる表示領域にそれぞれ配置して同時に再生する再生処理と、この再生処理で再生される各動画情報の特定の再生ポイントを全ての動画情報について時間的に一致させるための再生ポイント指定処理とを含み、前記再生ポイント指定処理は、前記各動画情報の再生開始アドレス、再生終了アドレス及び任意の再生点のアドレスの少なくとも１つを指定する処理であり、前記再生処理は、前記再生ポイント指定処理にて指定された各動画情報の再生開始アドレスから前記複数の動画情報の再生を同時に開始し、前記各動画情報の再生時間が異なる場合には、再生時間が最も長い動画情報の再生が終了するまで他の再生が終了した動画情報を静止画として再生する処理である。
【００１６】
このようなプログラムによれば、上記の画像記録再生装置と同様の効果をコンピュータのソフトウェアによって実現することができ、特別の記録再生装置が不要になる。
【００１７】
【発明の実施の形態】
以下、図面を参照して、この発明の好ましい実施の形態について説明する。
図１は、この発明の実施例に係る画像記録再生装置の構成を示すブロック図である。
ＮＴＳＣ方式の画像入力信号は、ＮＴＳＣデコード・Ａ／Ｄ変換部１でデコード及びＡ／Ｄ変換され、水平・垂直走査に基づく時系列的なディジタルカラー画像データに変換される。この画像データは圧縮／伸張部２で圧縮される。圧縮方式としては、例えばMotion ＪＰＥＧ（Joint Photographic Coding Exsperts Group）等を用いることができる。圧縮／伸張部２では、画像データを１フレーム毎に圧縮画像データ（ＪＰＥＧビットストリーム）に変換する。この圧縮画像データは、システムバス３を介してＤＲＡＭ（Dynamic Random Access Memory）４に記憶される。ＤＲＡＭ４は、例えば１２Ｍバイトの容量を持ち、画像記憶領域に例えば４５０フレーム（３０フレーム／秒として動画１５秒）分の圧縮画像データを記憶可能なものである。画像記憶領域は、リングバッファ構成であり、連続的な画像データの記録によって常に最も古いデータが上書きされるようになっている。また、画像記憶領域は、例えば２つのバンクＡ，Ｂに分割することができ、これらバンクＡ，Ｂにそれぞれ２２５フレーム（動画７．５秒）ずつ圧縮画像データをそれぞれ独立に記憶することができる。ＤＲＡＭ４から読み出された圧縮画像データは、システムバス３を介して圧縮／伸張部２に供給され、ここで伸張されてダブルバッファ構成のメモリ５に１フレーム（但し２フィールド中の第１フィールド）ずつ書き込まれる。メモリコントローラ６は、メモリ５のリード／ライトを制御する。メモリ５からシーケンシャルに読み出された画像データは、Ｄ／Ａ・ＮＴＳＣエンコード部７でＤ／Ａ変換及びＮＴＳＣ信号に変換され、画像出力信号として出力される。
なお、画像情報は一般的には１フレーム＝２フィールドとして書き込み・読み出し制御が行われるが、この実施例では、記録に関しては１フレーム中の第１フィールドの画像情報のみを記憶させ、再生に関しては、この記憶された１フィールド分の画像情報を第１フィールド、第２フィールドに連続して出力させることによってデータ効率を上げている。
【００１８】
一方、外部から供給されるステレオの音声入力信号はＡ／Ｄ変換器８でＡ／Ｄ変換され、ＤＲＡＭ４の音声記憶領域に画像データと同期が可能なように記憶される。また、ＤＲＡＭ４の音声記憶領域から読み出された音声データは、Ｄ／Ａ変換器９でＤ／Ａ変換され、音声出力信号として出力される。
操作部１０は、スイッチ１０ａ、ボリュウム１０ｂ、ＬＥＤ（発光ダイオード）１０ｃ及びフェーダ１０ｄからなり、記録開始及び終了、再生開始及び終了、記録モード、再生モード、動画及び静止画の記録・再生スピード等の各種設定を行うためのものである。
ＣＰＵ１１は、これらの各種の制御の中心的な処理を実行する。ＲＯＭ１２は、ＣＰＵ１１の動作プログラムや各種テーブル等を記憶する。
【００１９】
図２は、操作部１０の詳細を示す平面図である。
RECスイッチ及びPLAYスイッチは、それぞれ記録開始・終了及び再生開始・終了を指示するスイッチである。REC MODEスイッチは、RECスイッチの動作モードを決定するもので、MOVIE1モードが動画の連続上書き記録モード、MOVIE2モードが動画の記録最大時間一杯までの連続記録モード、PHOTOモードが静止画の記録モードである。PHOTOモードの場合、RECスイッチを押す毎に静止画が記録されるが、RECスイッチを押し続けると、設定された時間間隔で静止画を連続記録する。PLAY MODEスイッチは、PLAYスイッチの動作モードを決定するもので、LATCHモードはPLAYスイッチを押すと再生開始、再度押すと再生終了のモード、UNLATCHモードはPLAYスイッチを押し続けている間だけ再生のモード、STILLモードはPLAYスイッチを押すと１フレームだけ進み、押し続けるとコマ送りの再生モードである。
【００２０】
BANKスイッチは、ＤＲＡＭ４の記憶領域を２つのバンクＡ，Ｂに分けて使用するかどうかのモードで、NONが分割しないモード、ＡがバンクＡを選択するモード、ＢがバンクＢを選択するモードである。DISPLYスイッチは、出力画面の表示モードを切り替えるスイッチで、NORMALが通常の出力、IN/RAMが左側に入力映像信号表示、右側に記録された圧縮画像データの再生画像を表示するモード、A/Bが左側にバンクＡ、右側にバンクＢを表示するモードである。
【００２１】
START、ENDスイッチは、再生の開始点及び終了点をそれぞれ指定するスイッチである。CENTERスイッチは、任意の再生点を指定するためのスイッチである。MOVIE側のSPEEDボリュウムは、動画の再生スピードを指定し、PHOTO側のSPEEDボリュウムは、静止画の再生スピード及び連続記録時の記録時間間隔を指定するものである。CONTINOUSフェーダは、ＤＲＡＭ４の画像記憶領域の任意の再生アドレスを手動で指定するためのもので、手動コマ送りに使用される。
【００２２】
次に、このように構成された画像記録再生装置の動作について説明する。
操作部１０のBANKスイッチをＡ、REC MODEスイッチをMOVIE1又はMOVIE2にしてRECスイッチを操作すると、ＤＲＡＭ４の画像記憶領域はバンクＡとバンクＢとに２分割され、そのうちのバンクＡに第１の動画情報が記録される。また、操作部１０のBANKスイッチをＢに変えてRECスイッチを操作すると、バンクＢに第２の動画情報が記録される。図３は、バンクＡにビデオからのプロのゴルフスウィングの動画情報を、バンクＢにビデオカメラで撮像された自己のゴルフスウィングの動画情報を記録した例である。各バンクには、例えば２２５フレーム分、時間にして約７．５秒（３０フレーム／秒の場合）ずつの画像が記録される。記憶領域を更に有効に使用するためには、バンクＡ，Ｂにそれぞれ記録される動画情報の第１フィールドのみを記録すればよい。後述するように、２画面表示では、バンクＡ，Ｂの画像情報を合わせて１フレームを構成するからである。
【００２３】
DISPLYスイッチをA/Bモードにして、PLAYスイッチを押すと、バンクＡ，Ｂに記録された動画情報は、各バンクの先頭アドレス０，２２５から１フィールドずつ交互に再生されて図示のように、２分割された画面の左右にそれぞれ表示されることになるが、両画像は同時に撮像されたものではないため、両者のタイミングは必ずしも一致しない。そこで、この装置では、フェーダ１０ｄと、START，ENDスイッチと、BANKスイッチとで再生ポイント指定手段を構成し、この再生ポイント指定手段によってバンクＡ，Ｂの動画の再生タイミングを手動で合わせることができるようになっている。
【００２４】
図４は、再生ポイント指定方法を説明するための図である。
まず、BANKスイッチをバンクＡに設定する。この状態ではフェーダ１０ｄの操作可能範囲とバンクＡの全記録領域とが対応し、フェーダ１０ｄを操作することにより再生アドレスが変化して画面が変化する。そこで、フェーダ１０ｄを操作して、再生を開始したい画面に合わせ、STARTスイッチを押すと、バンクＡの再生開始アドレスＡＳがＤＲＡＭ４のワークエリアに記憶される。次に、フェーダ１０ｄを操作して、再生を終了したい画面に合わせ、ENDスイッチを押すと、バンクＡの再生終了アドレスＡＥがＤＲＡＭ４のワークエリアに記憶される。
【００２５】
同じく、BANKスイッチをバンクＢに設定し、同様の操作でバンクＢの再生開始アドレスＢＳと再生終了アドレスＢＥとを設定すると、これらのアドレスＢＳ，ＢＥもＤＲＡＭ４のワークエリアに記憶される。
登録が終了すると、図示のように、フェーダ１０ｄの操作可能範囲が各バンクＡ，Ｂの再生開始アドレスＡＳ，ＢＳから再生終了アドレスＡＥ，ＢＥまでの再生範囲に割り当てられる。
【００２６】
次に、DISPLYスイッチをA/BモードにしてPLAYスイッチを押すと、バンクＡ，Ｂの再生開始アドレスＡＳ，ＢＳから圧縮画像データが１フィールドずつ交互に読み出され、圧縮／伸張部２で伸張されたのち、ダブルバッファ構成のメモリ５に順次書き込まれ、メモリ５からシーケンシャルに読み出されることにより、マルチ画面表示の再生画像が得られる。２画面表示を得るための方法としては、種々の方法が考えられる。
【００２７】
第１の方法を図５に示す。図５（ａ）に示すように、メモリ５の第１バンクにバンクＡのフィールドを水平方向を間引きながら書き込み、メモリ５の第２バンクにバンクＢのフィールドを水平方向を間引きながら書き込む。そして、読み出し時には、同図（ｂ）に示す順序でデータを読み出す。これにより、第１フィールドの表示画像は、同図（ｃ）のように、バンクＡの画像が左側にバンクＢの画像が右側に表示されることになる。第２フィールドについても同じシーケンスで画像を読み出す。この例では、バンクＡ，Ｂの画像は左右方向にのみ１／２だけ縮小されることになるが、バンクＡ，Ｂの画像全体を１画面に表示することができる。
【００２８】
第２の方法も前述と同様、図５（ａ）に示すように書き込む。但し、メモリ５の第１バンクにバンクＡのフィールドの水平方向中央部のみ書き込み、メモリ５の第２バンクにバンクＢのフィールドの水平方向中央部のみ書き込む。そして、読み出し時には、同図（ｂ）に示すように読み出す。これにより、同図（ｃ）のように、バンクＡ，Ｂの画像は左右に表示されることになるが、この場合には、図６に示すように、バンクＡ，Ｂの画像の中央部のみが切り出されて左右に表示されることになるので、画像は縮小されることなく表示される。
【００２９】
この他、水平及び垂直方向に１ピクセルおきに読み出して、表示開始位置にオフセットを設けるようにすれば、図７のように、水平・垂直に１／２だけ縮小された画像を左右に表示させることもできる。
これらのマルチ画面表示方法は、いずれもメモリコントローラ６によるリード／ライトの制御によって実現することができる。
【００３０】
図８は、バンクＡ，Ｂで再生開始アドレスから再生終了アドレスまでの再生時間が異なる場合の処理を説明するための図である。
同図（ａ）は、再生時間が短い方のバンクＢの再生が終了したら、再生時間が長い方のバンクＡの再生が終了するまで、バンクＢの最終画面を保持させることにより、再生時間を長い方に合わせるようにした例である。この場合には、全てのバンクの再生開始アドレスから再生終了アドレスまでを再生させることができ、一部のバンクの動画が途中で停止することがない。
同図（ｂ）は、再生時間が短い方のバンクＢの再生が終了したら、再生時間が長い方のバンクＡの再生を終了させることにより、再生時間を短い方に合わせた例である。この場合、バンクＡの再生は途中で停止することになる。
同図（ｃ）は、バンクＡ，Ｂの再生時間を一致させるように、短い方のバンクＢの再生速度を長い方のバンクＡの再生速度よりも遅くした例である。動作のスピードよりも個々のタイミングでのフォームの対比などを行う場合に有効である。
【００３１】
図９は、この発明の他の実施例を示す図で、バンクＡ，Ｂの特定の再生ポイントを一致させるようにした例である。バンクＡのセンターアドレスＡＣとバンクＢのセンターアドレスＢＣとが設定されると、両者の再生タイミングが一致するように再生開始アドレスと再生終了アドレスとをそれぞれセンターアドレスからのアドレス差分値が短い方のバンクに合わせるようにアドレスを変更する。この例は、野球の打撃の瞬間やゴルフスウィングのインパクトの瞬間などを２つの画面で一致させる場合等に有効である。
【００３２】
図１０に、この処理のフローチャートを示す。
まず、各バンクＡ，Ｂのセンタポイントセットフラグをクリアする（Ｓ１）。次に操作部１０のBANKスイッチにより、バンクＡ，Ｂのいずれかを選択し（Ｓ２）、フェーダ１０ｄを操作して合わせたい映像を選択する（Ｓ３）。操作部１０のCENTERスイッチを押すと、その再生アドレスがセンターアドレスとしてＤＲＡＭ４のワークエリアに記憶され、センターポイント設定がなされる（Ｓ４）。バンクＡのセンターポイントが設定された場合には（Ｓ５）、バンクＡのセンターポイントフラグがセットされ（Ｓ６）、バンクＢのセンターポイントが設定された場合には（Ｓ５）、バンクＢのセンターポイントフラグがセットされる（Ｓ７）。
【００３３】
ステップＳ２〜Ｓ７の繰り返し操作によってバンクＡ，Ｂのセンターポイントが共に設定されたら（Ｓ８）、バンクＡの再生開始アドレスＡＳからセンターアドレスＡＣまでのアドレス差と、バンクＢの再生開始アドレスＢＳからセンターアドレスＢＣまでのアドレス差とを比較する（Ｓ９）。バンクＡ側のアドレス差よりもバンクＢ側のアドレス差の方が大きい場合には、バンクＢ側のアドレス差がバンクＡ側のアドレス差と同じになるように、再生開始アドレスＢＳを、ＢＳ＝ＢＣ−（ＡＣ−ＡＳ）なる演算によって変更する（Ｓ１０）。また、バンクＡ側のアドレス差よりもバンクＢ側のアドレス差の方が小さい場合には、バンクＡ側のアドレス差がバンクＢ側のアドレス差と同じになるように、再生開始アドレスＡＳを、ＡＳ＝ＡＣ−（ＢＣ−ＢＳ）なる演算によって変更する（Ｓ１１）。
【００３４】
次に、バンクＡのセンターアドレスＡＣから再生終了アドレスＡＥまでのアドレス差と、バンクＢのセンターアドレスＢＣから再生終了アドレスＢＥまでのアドレス差とを比較する（Ｓ１２）。バンクＡ側のアドレス差よりもバンクＢ側のアドレス差の方が大きい場合には、バンクＢ側のアドレス差がバンクＡ側のアドレス差と同じになるように、再生終了アドレスＢＥを、ＢＥ＝ＢＣ＋（ＡＥ−ＡＣ）なる演算によって変更する（Ｓ１３）。また、バンクＡ側のアドレス差よりもバンクＢ側のアドレス差の方が小さい場合には、バンクＡ側のアドレス差がバンクＢ側のアドレス差と同じになるように、再生終了アドレスＡＥを、ＡＥ＝ＡＣ＋（ＢＥ−ＢＣ）なる演算によって変更する（Ｓ１４）。
【００３５】
図９の例では、センターアドレスＡＣ，ＢＣを設定したことにより、バンクＢ側の再生開始アドレスＢＳとバンクＡ側の再生終了アドレスＡＥとが当初のアドレスから変更され、この結果、再生開始点ＡＳ，ＢＳと再生終了点ＡＥ，ＢＥとが一致し、且つセンターアドレスＡＣ，ＢＣの再生タイミングが一致するようになっている。
【００３６】
図１１及び図１２は、この発明の更に他の実施例を示す図である。
この実施例では、マニュアルモードとグループモードとを備え、１つのフェーダ１０ｄにて、再生ポイントの設定と、手動再生操作とを行うようにしている。図１２は、操作部１０の要部を示す図で、この例では、４つのバンクＡ，Ｂ，Ｃ，Ｄにそれぞれ異なる動画情報を記録し、これらのバンクの再生ポイントを設定するために、バンクＡ，Ｂ，Ｃ，Ｄのいずれか一つを選択するための４つのBANKスイッチが設けられている。MANUALスイッチをＯＮにすると、マニュアルモードとなり、BANKスイッチで選択されたバンクの再生アドレスをフェーダ１０ｄによって指定することが可能になる。いま、図１２（ａ）に示すように、バンクＡを選択した状態でフェーダ１０ｄを操作して再生ポイントＡＰに画面を合わせ、次にバンクＢを選択して同様に再生ポイントＢＰに画面を合わせ、同じくバンクＣ，Ｄについても順番に再生ポイントＣＰ，ＤＰに画面を合わせる。
【００３７】
以上の操作で、全てのバンクの画面を特定の画面に合わせたら、GROUPスイッチをＯＮにして、グループモードに設定する。このグループモードでは、図１２（ｂ）に示すように、設定された再生ポイントからフェーダ１０ｄの操作に従って全てのバンクの画面が同時に再生される。従って、フェーダ１０ｄを設定された再生ポイントを中心としてゆっくり動かして４つの画面を対比したり、逆方向に再生することもできる。
このような操作によって、複数の画面を、特定の再生ポイントを一致させて任意の速度で再生することにより、複数の画面の対比観察が容易になり、各種のフォーム解析や動作解析などに極めて有用である。
【００３８】
なお、以上の各実施例を実現するためＣＰＵ１１が実行する処理は、画像記録再生プログラムにより実現され、そのプログラムは磁気ディスク、光ディスク等の記録媒体に記録されて供給される。
【００３９】
この発明は、画像データの圧縮／伸張ボード等を拡張スロットに装着したコンピュータに画像記録再生プログラムをインストールすることによっても実現できる。
図１３は、そのような実施例に係るコンピュータのブロック図である。
パーソナルコンピュータ（ＰＣ）２０内のホストバス２０１、内部バス２０２及び外部バス２０３は、バスコントローラ２０４を介して相互に接続され、ホストバス２０１には、ＣＰＵ２０５及びメモリ／メモリコントローラ２０６が接続され、内部バス２０２にはマウス２０７及びキーボード２０８が接続され、外部バス２０３にはハードディスク装置（ＨＤ）２０９、フロッピーディスクコントローラ（ＦＤＣ）２１０及びビデオ・グラフィック・アクセラレータ（ＶＧＡ）２１１が接続されている。また、外部バス２０３に接続された拡張スロット２１２には、画像データ圧縮／伸張ボード２１が接続されている。
【００４０】
ハードディスク装置２０９には、この発明に係る画像記録再生プログラムがインストールされ、そのプログラムは、画像データ圧縮／伸張ボード２１の画像記憶領域に設定された各バンクに各動画像データを記録する記録処理と、記録された動画像データを指定された条件で再生して分割表示するための再生処理と、各動画像データの再生ポイント等を指定するための指定処理等を実行する。このプログラムは、適当な記録媒体に記録されて提供されるか、通信回線を介して提供される。この処理は、基本的には図１の装置における処理と同様であるが、この例では、ユーザインタフェースとして図１の操作部１０に代えてマウス２０７及びキーボード２０８が使用される。
【００４１】
画像データ圧縮／伸張ボード２１は、画像入力信号を圧縮処理すると共に音声入力信号を量子化及び符号化処理し、記録処理によってボード上のメモリ領域にこれら信号を記録する。画像データ圧縮／伸張ボード２１上のメモリ領域に記録された画像及び音声データは、再生処理によって画像データの伸張、音声データの復号及び逆量子化処理等が施されて画面に表示されると共に、画像データ圧縮／伸張ボード２１の画像出力端子及び音声出力端子より画像出力信号及び音声出力信号として外部へ出力される。
【００４２】
図１４は、表示画面の一例である。表示画面には、各バンクの画像を並べて表示するための画像表示ウィンドウ３１，３２と、これらウィンドウ３１，３２に表示される画像データの記録及び再生に関する種々の操作を行うための操作ウィンドウ３３とが設けられている。操作ウィンドウ３３に表示された各ボタン（アイコン）は、図２に示したものとほぼ同一であるため詳しい説明は省略する。
【００４３】
このシステムによれば、マウス２０７の操作によって表示画面上のポインタ３４を任意のボタンイメージの位置に移動させて、クリック又はドラッグ操作することにより、必要なイベント情報がオペレーションシステム（ＯＳ）に取り込まれ、ＯＳ経由でアプリケーションプログラムに伝えられて、再生開始アドレス、再生終了アドレス、任意の再生点のアドレス、記録開始、再生開始、再生速度等が指示される。
この実施例によれば、、ハード的な操作部が不要であると共に、その変更も容易になるという利点がある。また、圧縮画像ファイルを通信回線を介して取り込むようにすれば、異なる場所でプレイしている複数人のフォームをタイミングを一致させて再生するといった使用方法も可能になる。
【００４４】
【発明の効果】
以上述べたように、この発明によれば、画像記憶手段の複数の記憶領域に複数の動画情報をそれぞれ別々に記録し、この記録された前記複数の動画情報を同一画面内の異なる表示領域にそれぞれ配置して同時に再生すると共に、再生ポイント指定手段によって、各動画情報の特定の再生ポイントを全ての動画情報について時間的に一致させることができるので、互いに関連する画像であるが、それぞれ別々に記録された画像を同一画面に並べて表示し、時間的なタイミングを合わせて同時に再生して対比することができ、スポーツのフォーム解析などに極めて有用であるという効果を奏する。
【図面の簡単な説明】
【図１】  この発明の一実施例に係る画像記録再生装置の構成を示すブロック図である。
【図２】  同装置における操作部の詳細を示す平面図である。
【図３】  同装置のＤＲＡＭの記憶領域と表示画面とを示す図である。
【図４】  同装置における各バンクの再生開始アドレスと再生終了アドレスの設定方法を説明するための図である。
【図５】  同装置におけるマルチ画面表示のためのメモリのリードライト方法の一例を示す図である。
【図６】  同方法により表示される画面の例を示す図である。
【図７】  他のマルチ表示画面の例を示す図である。
【図８】  同装置におけるバンク毎に再生時間が異なる場合の処理を示す図である。
【図９】  この発明の他の実施例に係る再生ポイントの設定処理の例を示す図である。
【図１０】  図１０の処理のフローチャートである。
【図１１】  この発明の更に他の実施例に係る操作部の要部を示す図である。
【図１２】  同実施例の動作を説明するための図である。
【図１３】  この発明の他の実施例に係るコンピュータシステムのブロック図である。
【図１４】  同システムの表示画面の例を示す図である。
【符号の説明】
１…ＮＴＳＣデコード・Ａ／Ｄ変換部、２…圧縮／伸張部、３…システムバス、４…ＤＲＡＭ、５…メモリ、６…メモリコントローラ、７…Ｄ／Ａ・ＮＴＳＣエンコード部、８…Ａ／Ｄ変換器、９…Ｄ／Ａ変換器、１０…操作部，２０…パーソナルコンピュータ、２１…画像データ圧縮／伸張ボード。
【図１】
0003890691.tif 000002
【図２】
0003890691.tif 000003
【図３】
0003890691.tif 000004
【図４】
0003890691.tif 000005
【図５】
0003890691.tif 000006
0003890691.tif 000007
【図６】
0003890691.tif 000008
【図７】
0003890691.tif 000009
【図８】
0003890691.tif 000010
【図９】
0003890691.tif 000011
【図１０】
0003890691.tif 000012
【図１１】
0003890691.tif 000013
【図１２】
0003890691.tif 000014
【図１３】
0003890691.tif 000015
【図１４】
0003890691.tif 000016